(57)【要約】【課題】  ユーザにより自由度の高い経路検索を提供する。【解決手段】  交通機関の路線と路線上の駅と、を関連づけて記録した路線データ記憶装置２２と、路線上の通過駅を提示する条件を記録した提示条件記憶装置２１と、経路を検索し、結果を提示する検索結果提示手段１と、検索結果提示手段１で検索された経路の路線を取得する路線取得手段２と、検索結果提示手段１で検索された経路の、路線取得手段２で取得された路線の乗車駅と下車駅を取得する乗車駅下車駅取得手段３と、路線データ記憶装置２２を参照して、路線取得手段２で取得された路線上の駅であって、乗車駅と下車駅との間に位置する路線上の通過駅を取得する通過駅取得手段４と、提示条件記憶装置２１を参照して、条件に従って、通過駅取得手段４で取得した乗車駅と下車駅との間に位置する路線上の駅を提示する通過駅提示手段５とを備える。【選択図】      図１
2004262446.tif 000002
【特許請求の範囲】
【請求項１】
交通機関を利用して出発地から目的地まで移動する経路を探索する経路探索装置において、
前記交通機関の路線と前記路線上の駅と、を関連づけて路線データ記憶装置に記録する路線データ記憶手段と、
前記路線データ記憶装置に記録された路線上の通過駅を提示する条件を提示条件記憶装置に記録する提示条件記憶手段と、
入力された情報に従って、前記経路を検索し、結果を提示する検索結果提示手段と、
前記検索結果提示手段で検索された前記経路の路線を取得する路線取得手段と、
前記検索結果提示手段で検索された前記経路の、前記路線取得手段で取得された路線の乗車駅と下車駅を取得する乗車駅下車駅取得手段と、
前記路線データ記憶装置を参照して、前記路線取得手段で取得された前記路線上の駅であって、前記乗車駅と前記下車駅との間に位置する前記路線上の前記通過駅を取得する通過駅取得手段と、
前記提示条件記憶装置を参照して、前記条件に従って、前記乗車駅下車駅取得手段で取得した前記乗車駅と前記下車駅との間に位置する前記路線上の駅を提示する通過駅提示手段と
を備えることを特徴とする経路探索装置。
【請求項２】
前記駅提示手段で提示する前記通過駅は、前記検索結果提示手段で提示する前記経路上に提示する
ことを特徴とする請求項１に記載の経路探索装置。
【請求項３】
交通機関を利用して出発地から目的地まで移動する経路を探索する経路探索方法において、
前記交通機関の路線と前記路線上の駅と、を関連づけて路線データ記憶装置に記録する路線データ記憶ステップと、
前記路線データ記憶装置に記録された路線上の通過駅を提示する条件を提示条件記憶装置に記録する提示条件記憶ステップと、
入力された情報に従って、前記経路を検索し、結果を提示する検索結果提示ステップと、
前記検索結果提示ステップで検索された前記経路の路線を取得する路線取得ステップと、
前記検索結果提示ステップで検索された前記経路の、前記路線取得ステップで取得された路線の乗車駅と下車駅を取得する乗車駅下車駅取得ステップと、
前記路線データ記憶装置を参照して、前記路線取得ステップで取得された前記路線上の駅であって、前記乗車駅と前記下車駅との間に位置する前記路線上の前記通過駅を取得する通過駅取得ステップと、  前記提示条件記憶装置を参照して、前記条件に従って、前記乗車駅下車駅取得ステップで取得した前記乗車駅と前記下車駅との間に位置する前記路線上の駅を提示する通過駅提示ステップと
を備えることを特徴とする経路探索方法。
【請求項４】
前記駅提示ステップで提示する前記通過駅は、前記検索結果提示ステップで提示する前記経路上に提示する
ことを特徴とする請求項３に記載の経路探索方法。
【請求項５】
交通機関を利用して出発地から目的地まで移動する経路を探索する経路探索プログラムにおいて、
前記交通機関の路線と前記路線上の駅と、を関連づけて路線データ記憶装置に記録する路線データ記憶ステップと、
前記路線データ記憶装置に記録された路線上の通過駅を提示する条件を提示条件記憶装置に記録する提示条件記憶ステップと、
入力された情報に従って、前記経路を検索し、結果を提示する検索結果提示ステップと、
前記検索結果提示ステップで検索された前記経路の路線を取得する路線取得ステップと、
前記検索結果提示ステップで検索された前記経路の、前記路線取得ステップで取得された路線の乗車駅と下車駅を取得する乗車駅下車駅取得ステップと、
前記路線データ記憶装置を参照して、前記路線取得ステップで取得された前記路線上の駅であって、前記乗車駅と前記下車駅との間に位置する前記路線上の前記通過駅を取得する通過駅取得ステップと、
前記提示条件記憶装置を参照して、前記条件に従って、前記乗車駅下車駅取得ステップで取得した前記乗車駅と前記下車駅との間に位置する前記路線上の駅を提示する通過駅提示ステップと
をコンピュータに実行させることを特徴とする経路探索プログラム。
【請求項６】
前記駅提示ステップで提示する前記通過駅は、前記検索結果提示ステップで提示する前記経路上に提示する
ことを特徴とする請求項５に記載の経路探索プログラム。
【発明の詳細な説明】
【技術分野】
【０００１】
本発明は、交通機関を利用して出発地から目的地まで移動する経路を探索する経路探索装置、経路探索方法及び経路探索プログラムに関する。
【背景技術】
【０００２】
近年、コンピュータ、ＰＤＡ、携帯電話機等の情報機器上でアプリケーションを稼動させ、乗車地、目的地、出発予定時刻等を入力することにより、容易に移動経路の探索を行うことが可能となっている。
【０００３】
従来の経路探索方法においては、経路探索装置が提供するユーザインタフェースは、情報機器、アプリケーションにより異なるが、探索結果画面で、発着駅、乗換を行う駅と併せて、入力された条件により検索された時間、金額、乗換回数、地図による路線図等の案内を提供している。
【０００４】
例えば、図１６に示すように、従来の乗換検索結果の表示画面は、出発地と出発地の出発時刻、目的地と目的地の到着時刻、乗換地とその到着時刻及び出発時刻、それぞれの経路で利用する路線名、所要時間、料金等が記載されている。又、「時刻表」ボタンがクリックされると当該駅の時刻表を、「地図」ボタンがクリックされると当該駅の近辺の地図を、「天気」ボタンがクリックされると当該駅の天気を、「スポット」ボタンがクリックされると当該駅近辺の飲食店等のスポットを提示する。
【０００５】
又、経路を案内する画面の一例として、既に入力済みの経路情報に基づいて経路表示画面をスクロールするものがある（例えば、特許文献１。）。しかし、路線表示画面を用いて経路を表示するが、相対的な場所を確認しやすいが、利用する経路に的を絞って表示するのが困難である。
【０００６】
又、乗換の検索方法として、電車の発着がある時間において同じプラットホームの隣り合う番線を使用する方法がある（例えば、特許文献２。）。しかし、このような検索方法においては、乗換を行える電車の選択肢を増やすのみで、経由駅や滞在時間等を考慮した乗換ではない。
【特許文献１】特開平５−１５９０４０号公報
【特許文献２】特開２００１−３４６６３号公報
【発明の開示】
【発明が解決しようとする課題】
【０００７】
しかし、経路探索装置において、検索結果に望まれる表示は一つとは限らない。例えば、乗換を行う駅の手前駅の情報を予め取得する場合や、乗換を行う時間をユーザ側で設定する場合である。
【０００８】
これらの状況においては、従来の経路探索の結果を表示する場合に付加したユーザインタフェースの提供が求められている。
【０００９】
従って本発明の目的は、乗換時の利便性を高めるような、ユーザにより自由度の高い経路検索を提供する経路探索装置、経路探索方法及び経路探索プログラムを提供することである。
【課題を解決するための手段】
【００１０】
上記課題を解決するために、本発明の第１の特徴に係る経路探索装置は、交通機関を利用して出発地から目的地まで移動する経路を探索する経路探索装置に関する。即ち、本発明の第１の特徴に係る経路探索装置は、交通機関の路線と路線上の駅と、を関連づけて路線データ記憶装置に記録する路線データ記憶手段と、路線データ記憶装置に記録された路線上の通過駅を提示する条件を提示条件記憶装置に記録する提示条件記憶手段と、入力された情報に従って、経路を検索し、結果を提示する検索結果提示手段と、検索結果提示手段で検索された経路の路線を取得する路線取得手段と、検索結果提示手段で検索された経路の、路線取得手段で取得された路線の乗車駅と下車駅を取得する乗車駅下車駅取得手段と、路線データ記憶装置を参照して、路線取得手段で取得された路線上の駅であって、乗車駅と下車駅との間に位置する路線上の通過駅を取得する通過駅取得手段と、提示条件記憶装置を参照して、条件に従って、乗車駅下車駅取得手段で取得した乗車駅と下車駅との間に位置する路線上の駅を提示する通過駅提示手段とを備える。
【００１１】
本発明の第１の特徴に係る経路探索装置によれば、指定した区間の通過駅を提示することができる。従って、ユーザは通過駅を把握することにより、乗換駅、乗車駅、下車駅等の関係を把握しやすくなる。
【００１２】
又、駅提示手段で提示する通過駅は、検索結果提示手段で提示する経路上に提示するのが好ましい。
【００１３】
これにより、経路上に通過駅を提示するので、乗換駅、乗車駅、下車駅等の関係の視認性が向上する。
【００１４】
本発明の第２の特徴に係る経路探索装置は、交通機関を利用して出発地から目的地まで移動する経路を探索する経路探索装置に関する。即ち、本発明の第２の特徴に係る経路探索装置は、出発地と、目的地と、移動で経由する経由駅と、経由駅での滞在時間と、を少なくとも含む乗換条件を取得する乗換条件取得手段と、出発地、目的地及び経由駅に従って経路と、各交通機関の乗車時刻或いは下車時刻を探索し、経由駅での到着時間と滞在時間を考慮して、経由駅から目的地までの経路と、各交通機関の乗車時刻或いは下車時刻を再び探索する経路探索手段とを備える。
【００１５】
本発明の第２の特徴に係る経路探索装置によれば、経由地における滞在時間を考慮して、各交通機関の乗車時刻及び下車時刻を含めた経路の検索を行うことができる。
【００１６】
又、少なくとも、路線から、路線とは異なる路線へ、乗換することのできる乗換可能駅と、追加料金なく乗換を許可する時間を乗換可能駅データ記憶装置に記録する乗換可能駅データ記憶手段を更に備え、経路探索手段において、移動に必要な料金を算出し、更に乗換可能駅データ記憶装置を参照して、経由駅が乗換可能駅であり、滞在時間が乗換を許可する時間より長い場合、再び料金を算出するのが好ましい。
【００１７】
これにより、改札を出るか出ないか、改札を出るとしても、制限時間内であるか否かなどを判定することにより、正確な料金を計算することができる。
【００１８】
又、乗換可能駅データ記憶装置には、所定の料金内で、出発地から目的地まで移動する制限時間が更に登録されており、経路探索手段において、出発地から目的地までの移動時間に経由駅での滞在時間を加算した全行程に必要な時間が、制限時間以内でない場合、再び料金を算出するのが好ましい。
【００１９】
これにより、交通業者のルールに従って、より正確な料金を計算することができる。
【００２０】
本発明の第３の特徴に係る経路探索方法は、交通機関を利用して出発地から目的地まで移動する経路を探索する経路探索方法に関する。即ち、本発明の第３の特徴に係る経路探索方法は、交通機関の路線と路線上の駅と、を関連づけて路線データ記憶装置に記録する路線データ記憶ステップと、路線データ記憶装置に記録された路線上の通過駅を提示する条件を提示条件記憶装置に記録する提示条件記憶ステップと、入力された情報に従って、経路を検索し、結果を提示する検索結果提示ステップと、検索結果提示ステップで検索された経路の路線を取得する路線取得ステップと、検索結果提示ステップで検索された経路の、路線取得ステップで取得された路線の乗車駅と下車駅を取得する乗車駅下車駅取得ステップと、路線データ記憶装置を参照して、路線取得ステップで取得された路線上の駅であって、乗車駅と下車駅との間に位置する路線上の通過駅を取得する通過駅取得ステップと、提示条件記憶装置を参照して、条件に従って、乗車駅下車駅取得ステップで取得した乗車駅と下車駅との間に位置する路線上の駅を提示する通過駅提示ステップとを備える。
【００２１】
又、駅提示ステップで提示する通過駅は、検索結果提示ステップで提示する経路上に提示するのが好ましい。
【００２２】
本発明の第４の特徴に係る経路探索方法は、交通機関を利用して出発地から目的地まで移動する経路を探索する経路探索方法に関する。即ち、本発明の第４の特徴に係る経路探索方法は、出発地と、目的地と、移動で経由する経由駅と、経由駅での滞在時間と、を少なくとも含む乗換条件を取得する乗換条件取得ステップと、出発地、目的地及び経由駅に従って経路と、各交通機関の乗車時刻或いは下車時刻を探索し、経由駅での到着時間と滞在時間を考慮して、経由駅から目的地までの経路と、各交通機関の乗車時刻或いは下車時刻を再び探索する経路探索ステップとを備える。
【００２３】
又、少なくとも、路線から、路線とは異なる路線へ、乗換することのできる乗換可能駅と、追加料金なく乗換を許可する時間を乗換可能駅データ記憶装置に記録する乗換可能駅データ記憶ステップを更に備え、経路探索ステップにおいて、移動に必要な料金を算出し、更に乗換可能駅データ記憶装置を参照して、経由駅が乗換可能駅であり、滞在時間が乗換を許可する時間より長い場合、再び料金を算出するのが好ましい。
【００２４】
又、乗換可能駅データ記憶装置には、所定の料金内で、出発地から目的地まで移動する制限時間が更に登録されており、経路探索ステップにおいて、出発地から目的地までの移動時間に経由駅での滞在時間を加算した全行程に必要な時間が、制限時間以内でない場合、再び料金を算出するのが好ましい。
【００２５】
本発明の第５の特徴に係る経路探索プログラムは、交通機関を利用して出発地から目的地まで移動する経路を探索する経路探索プログラムに関する。即ち、本発明の第５の特徴に係る経路探索プログラムは、交通機関の路線と路線上の駅と、を関連づけて路線データ記憶装置に記録する路線データ記憶ステップと、路線データ記憶装置に記録された路線上の通過駅を提示する条件を提示条件記憶装置に記録する提示条件記憶ステップと、入力された情報に従って、経路を検索し、結果を提示する検索結果提示ステップと、検索結果提示ステップで検索された経路の路線を取得する路線取得ステップと、検索結果提示ステップで検索された経路の、路線取得ステップで取得された路線の乗車駅と下車駅を取得する乗車駅下車駅取得ステップと、路線データ記憶装置を参照して、路線取得ステップで取得された路線上の駅であって、乗車駅と下車駅との間に位置する路線上の通過駅を取得する通過駅取得ステップと、提示条件記憶装置を参照して、条件に従って、乗車駅下車駅取得ステップで取得した乗車駅と下車駅との間に位置する路線上の駅を提示する通過駅提示ステップとをコンピュータに実行させる。
【００２６】
又、駅提示ステップで提示する通過駅は、検索結果提示ステップで提示する経路上に提示するのが好ましい。
【００２７】
本発明の第６の特徴に係る経路探索プログラムは、交通機関を利用して出発地から目的地まで移動する経路を探索する経路探索プログラムに関する。即ち、本発明の第６の特徴に係る経路探索プログラムは、出発地と、目的地と、移動で経由する経由駅と、経由駅での滞在時間と、を少なくとも含む乗換条件を取得する乗換条件取得ステップと、出発地、目的地及び経由駅に従って経路と、各交通機関の乗車時刻或いは下車時刻を探索し、経由駅での到着時間と滞在時間を考慮して、経由駅から目的地までの経路と、各交通機関の乗車時刻或いは下車時刻を再び探索する経路探索ステップとをコンピュータに実行させる。
【００２８】
又、少なくとも、路線から、路線とは異なる路線へ、乗換することのできる乗換可能駅と、追加料金なく乗換を許可する時間を乗換可能駅データ記憶装置に記録する乗換可能駅データ記憶ステップを更に備え、経路探索ステップにおいて、移動に必要な料金を算出し、更に乗換可能駅データ記憶装置を参照して、経由駅が乗換可能駅であり、滞在時間が乗換を許可する時間より長い場合、再び料金を算出するのが好ましい。
【００２９】
又、乗換可能駅データ記憶装置には、所定の料金内で、出発地から目的地まで移動する制限時間が更に登録されており、経路探索ステップにおいて、出発地から目的地までの移動時間に経由駅での滞在時間を加算した全行程に必要な時間が、制限時間以内でない場合、再び料金を算出するのが好ましい。
【発明の効果】
【００３０】
本発明によれば、乗換時の利便性を高めるような、ユーザにより自由度の高い経路検索を提供する経路探索装置、経路探索方法及び経路探索プログラムを提供することができる。
【発明を実施するための最良の形態】
【００３１】
次に、図面を参照して、本発明の実施の形態を説明する。以下の図面の記載において、同一又は類似の部分には同一又は類似の符号を付している。
【００３２】
（第１の実施の形態）
図１を参照して、本発明の第１の実施の形態に係る経路探索装置１０の機能ブロック図を説明する。
【００３３】
本発明の第１の実施の形態に係る経路探索装置１０は、一般的なコンピュータに所定の機能を備えたソフトウェアプログラムをインストールすることにより実現される。又、本発明の第１の実施の形態においては、スタンドアロンで稼動する様に記載しているが、インターネット等の通信ネットワークを介して、ユーザ端末から入力された条件に基づいて経路の探索を行っても良い。
【００３４】
本発明の第１の実施の形態に係る経路探索装置１０は、提示条件記憶装置２１、路線データ記憶装置２２、検索結果提示手段１、路線取得手段２、路線上の乗車駅下車駅取得手段３、通過駅取得手段４、通過駅提示手段５、入出力制御手段６、表示装置３１、入力装置３２を備えている。
【００３５】
提示条件記憶装置２１は、路線上の通過駅を表示する条件を記録した記憶装置である。提示条件記憶装置２１では、下車駅の手前３駅のみ表示する、下車駅の直前に停車する駅のみ表示する、乗車駅から下車駅まで全ての停車駅を表示する、などの条件が記録されている。又、通過駅を、検索結果上に展開するか、或いは別画面に提示するか、などの条件が記録されていても良い。表示条件は、ユーザ毎に記録されても良いし、全てのユーザに同じ条件を適用しても良い。
【００３６】
路線データ記憶装置２２は、電車、バス、飛行機、船などの交通機関の路線と路線上の駅と、を関連づけて記録した記憶装置である。
【００３７】
検索結果提示手段１は、入力された情報に従って、経路を検索し、その結果を提示する手段である。
【００３８】
路線取得手段２は、検索結果提示手段１において表示された経路から、渡船名を取得する手段である。
【００３９】
乗車駅下車駅取得手段３は、検索結果提示手段１で検索された経路の、路線取得手段２で取得された路線の乗車駅と下車駅を取得する手段である。
【００４０】
通過駅取得手段４は、路線データ記憶装置２２を参照して、路線取得手段２で取得された路線上の駅であって、乗車駅と下車駅との間に位置する路線上の通過駅を取得する手段である。ここで、通過駅とは、停車するしないを問わず、交通機関が急行や特急の場合、その交通機関の停車駅のみならず、停車せずに通過する駅も取得するのが好ましい。
【００４１】
通過駅提示手段５は、提示条件記憶装置２１で記録された表示条件に従って、通過駅を提示する手段である。ここでは、通過駅は、検索結果提示手段１で提示する経路上に提示しても良いし、別ウィンドウに表示しても良い。
【００４２】
入出力制御手段６は、経路探索装置１０の入出力を制御する手段である。
【００４３】
表示装置３１は、ＣＲＴディスプレイ、液晶ディスプレイ等であって、入力装置３２は、キーボード、マウス、トラックボール等である。又、表示装置３１及び入力装置３２は、ディスプレイを触れることにより入力を行うことのできるタッチパネルやその他の装置であっても良い。
【００４４】
図２を参照して、本発明の第１の実施の形態に係る経路探索方法において、通過駅を提示する処理を説明する。
【００４５】
まず、ステップＳ１０１において、「路線ボタン」をクリックするなど、通過駅を提示する指示が入力されると、ステップＳ１０２において、路線取得手段２によって、該当する路線を取得し、更に、ステップＳ１０３において、その路線上の乗車駅と下車駅を取得する。
【００４６】
次に、ステップＳ１０４において、路線データ記憶装置２２を参照して、乗車駅と下車駅の間の通過駅名を取得する。
【００４７】
最後に、ステップＳ１０５において、提示条件記憶装置２１を参照して、指定された表示条件で、ステップＳ１０４で取得した通過駅名を表示する。
【００４８】
図２においては、ユーザが「路線ボタン」をクリックすることにより、通過駅を表示しているが、ユーザの操作なく、予め通過駅を表示するようにしても構わない。
【００４９】
本発明の第１の実施の形態に係る経路探索装置１０が提示する画面の一例を図３乃至図６を参照して説明する。
【００５０】
図３は、出発地から目的地までの経路を検索した結果を、経路探索装置１０が提示する検索結果画面Ｐ１０１である。検索結果画面Ｐ１０１は、図１６に示した従来の検索結果画面と比べて、路線ボタンＢ１０１を備えている点が異なる。
【００５１】
又、乗換を行う駅には、経由駅ボタンＢ１０２が設けられている。
【００５２】
図３において、ユーザによって路線ボタンＢ１０１がクリックされると、この区間の通過駅を、提示条件記憶装置２１に記録された表示条件に従って、図４に示すような通過駅提示検索結果画面Ｐ１０２を提示する。
【００５３】
図４に示した通過駅提示検索結果画面Ｐ１０２は、ユーザがクリックした路線における通過駅を表示した結果表示部４２を備えている。ここでは、この路線の乗車駅から下車駅までの全ての駅を記載しているが、ここで記載される駅は、提示条件記憶装置２１に記録された表示条件に適合した駅である。
【００５４】
図４の変形例として、図５に示すような画面でも良い。図５においては、ユーザによって路線ボタンＢ１０１がクリックされると、結果表示画面Ｐ１０１とは異なる別ウィンドウで、通過駅提示サブ画面Ｐ１０３が更に提示される。通過駅提示サブ画面Ｐ１０３には、図４と同様に、結果表示部４２が備えられている。
【００５５】
図６を参照して、ユーザに通過駅を表示する条件を指定させる条件入力画面Ｐ１０４を説明する。条件入力画面Ｐ１０４は、通過駅表示設定部４３及び表示方法設定部４４を備えている。通過駅表示設定部４３では、通過駅を表示するか否か設定する。ここで、「なし」が選択された場合、図３に示した検索結果画面Ｐ１０１において、路線ボタンＢ１０１を設けないのが好ましい。表示方法設定部４４では、表示する通過駅の条件を設定する。ここでは、「全駅表示」、「前の○駅から表示」から選択することができる。
【００５６】
条件入力画面Ｐ１０４で入力された条件は、提示条件記憶装置２１に更新される。
【００５７】
又、図７を参照して、本発明の第１の実施の形態に係る経路探索装置１０が提示する別の画面の例を説明する。
【００５８】
図７に示した途中駅提示画面Ｐ１５１の例では、乗車駅から下車駅までの全ての駅を提示した場合の画面である。図７に示すように、すべて表示ボタンＢ１０１とすべて隠すボタンＢ１０２を備えている。すべて表示ボタンＢ１０１をクリックすることにより、図７に示したように乗車駅から下車駅までの全ての駅が提示され、すべて隠すボタンＢ１０２がクリックされると、図３に示したような乗車駅、乗換駅、下車駅のみを表示する画面が提示される。
【００５９】
更に、各交通機関ごとに設けられたボタンＢ１０３がクリックされることにより、該当する交通機関の路線についてのみ途中駅の提示を制御することができる。又このボタンＢ１０３は、途中駅がない路線の場合、即ちその電車で乗車駅と下車駅が隣り合っている場合、このボタンＢ１０３は設けられないのが好ましい。
【００６０】
途中駅を表示する場合には、その駅の属性に応じてアイコンを変更するのが好ましい。例えば、停車することなく通過する駅、即ち急行などの電車の通過駅は、通過駅アイコンＣ１０１で示すのが好ましい。更に、急行などの電車が停車する駅は、停車駅アイコンＣ１０２で示すのが好ましい。
【００６１】
本発明の第１の実施の形態に係る経路探索装置によると、電車等の乗換において、路線の通過駅を表示するので、ユーザは、乗車駅と下車駅の関係をつかみやすく、円滑に乗換を行うことができる。
【００６２】
（第２の実施の形態）
図８を参照して、本発明の第２の実施の形態に係る経路探索装置１０を説明する。
【００６３】
本発明の第２の実施の形態に係る経路探索装置１０は、一般的なコンピュータに所定の機能を備えたソフトウェアプログラムをインストールすることにより実現される。又、本発明の第１の実施の形態においては、スタンドアロンで稼動する様に記載しているが、インターネット等の通信ネットワークを介して、ユーザ端末から入力された条件に基づいて経路の探索を行っても良い。
【００６４】
図８に示すように、本発明の第２の実施の形態に係る経路探索装置１０は、乗換可能駅データ記憶装置２３、路線データ記憶装置２２、時刻表データ記憶装置２４、乗換条件取得手段１５、検索結果提示手段１３、乗換情報取得手段１４、経路探索手段１２、滞在時間取得手段１１、入出力制御手段６、表示装置３１、入力装置３２を備えている。
【００６５】
表示装置３１、入力装置３２、入出力制御手段６は、図１に示した本発明の第１の実施の形態と同様である。
【００６６】
路線データ記憶装置２２は、第１の実施の形態において記載した様に、電車、バス、飛行機、船などの交通機関の路線と路線上の駅と、を関連づけて記録した記憶装置である。時刻表データ記憶装置２４は、路線データ記憶装置２２に記憶された交通機関の駅や停留所などの交通機関の運行に関する時刻表が記憶された記憶装置である。
【００６７】
乗換可能駅データ記憶装置２３は、路線から、異なる路線へ、乗換することのできる乗換可能駅と、追加料金なく乗換を許可する時間等が記録された記憶装置である。例えば、路線は異なっても、同じ交通業者が運営している場合、改札を出てから所定の時間以内に、異なる路線の改札に入る場合、継続して乗車している運賃のみ請求される。乗換可能駅データ記憶装置２３は、このような駅や所定時間について登録している。
【００６８】
乗換条件取得手段１５、出発地と、目的地と、移動で経由する経由駅と、経由駅での滞在時間等の乗換条件を取得する手段である。ここでは、更に、経由駅において滞在時間を設定する場合、改札を出るのか、出ないのか、などをユーザに設定させ、取得する。
【００６９】
乗換情報取得手段１４は、乗換可能駅データ記憶装置２３を参照して、乗換駅や経由駅に関する情報を取得する手段である。
【００７０】
経路探索手段１２は、乗換条件取得手段１５で取得された条件に基づいて、出発地から目的地までの経路の探索を行う。ここでは、移動に必要な料金を算出し、更に乗換情報取得手段１４で取得した情報を参照して、経由駅が乗換可能駅であり、滞在時間が乗換を許可する時間より長い場合、再び料金を算出する。経路探索手段１２においては、路線データ記憶装置２２と時刻表データ記憶装置２４を参照して、滞在時間が設定された場合においても、滞在時間が反映された各交通機関の乗車時刻、下車時刻などを含む経路を探索する。
【００７１】
検索結果提示手段１３は、経路探索手段１２によって探索された経路、及び料金を提示する手段である。
【００７２】
滞在時間取得手段１１は、検索結果提示手段１３によって検索結果を提示した後、乗換駅等で滞在時間を設定する場合、その滞在時間を取得し、経路探索手段１２に再び経路を探索させる手段である。
【００７３】
図９を参照して、滞在時間取得手段１３の処理について詳述する。ここでは、「青山一丁目」駅で、滞在時間ｔｗ２を設ける場合について経路を探索する場合について説明する。まず、経路探索手段１２により、路線データ記憶装置２２と時刻表データ記憶装置２４に記憶された情報に基づいて、経路Ｄ１が決定される。ここで決定される経路Ｄ１は、滞在時間を設定していない通常の経路である。
【００７４】
次に、滞在時間を反映して検索される経路Ｄ２は、乗車駅から滞在する駅までの経路は経路Ｄ１と同じ経路を設定する現行経路再現区間で、滞在する駅から下車駅までの経路は新規に検索される新規検索区間を備えている。新規検索区間について経路を検索する場合、経路Ｄ１における「青山一丁目」駅の到着時刻ｔａ２を取得し、滞在時間ｔｗ２を付加したｔｄ２’を「青山一丁目」を出発可能な時刻として設定し、新規検索区間の経路を検索する。
【００７５】
図１０を参照して、本発明の第２の実施の形態に係る経路探索手段１２の処理を説明する。ここでは、経由駅において、所定の時間滞在する場合の経路検索について説明する。
【００７６】
まず、ステップＳ２０１において、乗換条件取得手段１５で取得された検索条件が、経由地の出発時刻が指定してあるか、或いは、経由地に滞在する滞在時間が指定してあるか判定する。出発時刻が指定されている場合、ステップＳ２０３において、滞在時間を考慮して、経由地の到着時間を算出し、経路の探索を行う。
【００７７】
一方、滞在時間が指定されている場合、ステップＳ２０２において、経由駅における滞在時間経過後の出発時刻を計算し、ステップＳ２０３において、滞在時間を考慮して経路の検索を行う。
【００７８】
ステップＳ２０４において、乗換条件において、経由駅で改札を出場するか否か、判定する。改札を出場しない場合、そのまま処理を終了する。
【００７９】
改札を出場する場合、ステップＳ２０５において、乗換可能駅データ記憶装置２３を参照して、許可された時間内の乗換であるか否かを判定する。許可された時間内の乗換である場合、そのまま処理を終了する。
【００８０】
許可された時間内の乗換でない場合、ステップＳ２０６において、経由駅において新たに乗車した場合と同様の料金を、再計算する。
【００８１】
次に図１１を参照して図１０のステップＳ２０３の処理について詳述する。
【００８２】
まず、ステップＳ３０１において、入力された乗車駅、下車駅、乗車時刻などの条件に基づいて、経路データ記憶装置２２に記録された情報を元に、図９に示した経路Ｄ１を再現する。このとき、滞在が設定された通過駅が列車種別により定常的に停車しない駅である場合、その通過駅に停車できるような経路を探索する。これに伴い影響する区間に関して、代替経路などを考慮した複数経路を組み合わせて、経路探索手段１２によって、経路として再現する。
【００８３】
次に、ステップＳ３０２において、ユーザが指定した検索条件に基づいて、滞在時間の指定で影響のない区間、即ち図９に示した経路Ｄ２の現行経路再現区間に関しては、経路データ記憶装置２２と時刻表データ記憶装置２４を参照して、該当する列車の時刻を経路に対して設定する。
【００８４】
更に、ステップＳ３０３において、ステップＳ３０２で求められた経路における通過駅の到着時刻に滞在時間を付加することにより通過駅における出発可能時刻を求める。更にその出発可能時刻をその通過駅の出発時刻として、滞在時間の指定で影響する区間、即ち図９に示した経路Ｄ２の新規検索区間について、時刻表データ記憶装置２４を参照して、適切な列車を検索し、列車時刻を設定する。
【００８５】
交通業者によっては、出発地から目的地までの移動に係る所定の時間を設定しており、その時間を超過して移動したような場合、超過料金を徴収する場合もある。この情報は、乗換可能駅データ記憶装置２３に登録されているのが好ましい。又、図示しないが、経路探索手段１２において、改札を出ないときでも、乗換可能駅データ記憶装置２３を参照して、超過料金が徴収されるか否かを判定し、超過料金が徴収される場合、料金の再計算を行うのが好ましい。
【００８６】
図１２乃至図１４を参照して、本発明の第２の実施の形態に係る経路探索装置が提示する画面の一例を説明する。
【００８７】
経路検索が行われると、図３に示した様な画面を提示する。ここで、ユーザによって、経由駅ボタンＢ１０２がクリックされると、図１２に示す滞在設定画面Ｐ１０４が別ウィンドウとして提示される。ここで、経由駅ボタンＢ１０２は、ボタン、リンク、に限らず、あらゆる形式が適用可能である。
【００８８】
滞在設定画面Ｐ１０４は、時間条件入力部５２と、改札条件入力部５３を備えている。時間条件入力部５２は、経由駅での滞在時間や待機時間を設定するもので、「○分滞在」或いは、「○時まで滞在」など、設定することができる。改札条件入力部５３は、経由駅で滞在する場合、改札を出るか、出ないかを設定するものである。これらの条件が入力されると、この条件に従って、再び経路の検索、或いは必要に応じて料金の再計算を行うと、図１２の検索結果画面Ｐ１０５が提示される。
【００８９】
検索結果画面Ｐ１０５は、滞在設定画面Ｐ１０４で、経由駅において「６０分」滞在する場合の検索結果を提示した画面である。検索結果画面Ｐ１０５において、経由駅以降の乗換が再び検索され、結果表示部５４に提示する。経由駅以前の駅については、検索結果が変わらずとも、提示するのが好ましい。
【００９０】
経由駅とその滞在時間を設定する場合、図１２で説明した要に、一度検索結果を提示してから設定しても良いし、予め設定してから経路の検索を行っても良い。予め設定してから経路の検索を行う場合、図１３に示すような、オプション設定画面Ｐ１０６を提示して、ユーザに滞在時間等を検索させるのが好ましい。ここで提示するオプション設定画面Ｐ１０６は、経由駅条件入力部５７、時間条件入力部５５、改札条件入力部５６を備えている。経由駅条件入力部５７は、ユーザに滞在する経由駅を入力させるものである。時間条件入力部５５及び改札条件入力部５６は、図６の滞在設定画面Ｐ１０４の時間条件入力部５２及び改札条件入力部５３と同様である。オプション設定画面Ｐ１０６において経由地、滞在地が入力されていると、経路検索を行う際に、経由駅の到着時刻或いは出発時刻を計算し、計算した時刻を考慮して、経路を検索する。
【００９１】
図４で示した画面において、提示した経由駅で滞在する場合、滞在する経由駅がクリックされると、図１４に示した滞在設定画面Ｐ１０４を提示する。ここで提示する画面は、図１２の滞在設定画面Ｐ１０４と同様である。滞在設定画面Ｐ１０４で設定がされると、設定された条件に基づいて経路の再検索を行い、検索結果画面Ｐ１０７を提示する。検索結果画面Ｐ１０７の結果表示部６３は、滞在設定画面Ｐ１０４で設定された条件に基づいて検索した結果である。図１４には図示しないが、滞在する経由駅において、到着時刻、出発時刻も合わせて表示するのが好ましい。
【００９２】
又、図１５を参照して、本発明の第２の実施の形態に係る経路探索装置１０が提示する別の画面の例を説明する。
【００９３】
図１５に示した滞在時間設定画面Ｐ１５２は、滞在時間設定コンボボックスＣ２０１を備えている。このコンボボックスは、乗換駅などに設けられており、コンボボックスから滞在したい時間を選択すると、その駅で滞在できる列車の時間が割り当てられる。ここでは、乗換駅について滞在時間を設定する場合について記載しているが、途中駅提示ボタンＢ２０１をクリックして途中駅を提示し、その途中駅について滞在時間を設定する様にしても構わない。
【００９４】
又、地図提示ボタンＢ２０２がクリックされると、路線図、道路地図、住宅地図などの地図に経路を重ねて表示した画面が提示される。更にバス路線提示ボタンＢ２０３がクリックされると、その駅から乗車可能なバスの系統や時刻表などが提示される。
【００９５】
本発明の第２の実施の形態に係る経路探索装置によると、経由駅の滞在時間を設定させ、経路を再検索することができる。又、改札を出るか出ないかも合わせて設定させることにより、より的確な料金計算を行うことができる。
【００９６】
上記のように、本発明の第１及び第２の実施の形態によって記載したが、この開示の一部をなす論述及び図面はこの発明を限定するものであると理解すべきではない。この開示から当業者には様々な代替実施の形態、実施例及び運用技術が明らかとなる。
【００９７】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００９８】
【図１】本発明の第１の実施の形態に係る経路探索装置の機能ブロック図である。
【図２】本発明の第１の実施の形態に係る経路探索方法のフローチャートである。
【図３】本発明の第１の実施の形態に係る経路探索装置が提示する画面の一例で、出発地から目的地までの経路を検索した結果を提示する検索結果画面である。
【図４】本発明の第１の実施の形態に係る経路探索装置が提示する画面の一例で、通過駅を提示する通過駅提示検索結果画面である。
【図５】本発明の第１の実施の形態に係る経路探索装置が提示する画面の一例で、通過駅を別ウィンドウで提示する通過駅提示サブ画面である。
【図６】本発明の第１の実施の形態に係る経路探索装置が提示する画面の一例で、ユーザに通過駅を表示する条件を指定させる条件入力画面である。
【図７】本発明の第１の実施の形態に係る経路探索画面が提示する画面の一例で、途中駅を表示する別の画面例である。
【図８】本発明の第２の実施の形態に係る経路探索装置の機能ブロック図である。
【図９】本発明の第２の実施の形態に係る経路探索装置において、滞在時間の設定について詳述する図である。
【図１０】本発明の第２の実施の形態に係る経路探索方法のフローチャートである。
【図１１】本発明の第２の実施の形態に係る経路探索方法を詳述するフローチャートである。
【図１２】本発明の第２の実施の形態に係る経路探索装置が提示する画面の一例で、経由駅の滞在を設定する滞在設定画面と、設定された滞在条件に基づいて再び検索した検索結果画面である。
【図１３】本発明の第２の実施の形態に係る経路探索装置が提示する画面の一例で、経由駅の滞在を設定するオプション設定画面である。
【図１４】本発明の第２の実施の形態に係る経路探索装置が提示する画面の一例で、図３に示した通過駅での滞在を設定する滞在設定画面と、設定された滞在条件に基づいて再び検索した検索結果画面である。
【図１５】本発明の第２の実施の形態に係る経路探索装置が提示する画面の一例で、滞在時間を設定する場合の別の画面例である。
【図１６】従来技術における経路検索結果の画面の一例である。
【符号の説明】
【００９９】
１…検索結果提示手段
２…路線取得手段
３…乗車駅下車駅取得手段
４…通過駅名取得手段
５…通過駅提示手段
６…入出力制御手段
１０…経路探索装置
１１…滞在時間取得手段
１２…経路探索手段
１３…検索結果提示手段
１４…乗換情報取得手段
１５…乗換条件取得手段
２１…提示条件記憶装置
２２…路線データ記憶装置
２３…乗換可能駅データ記憶装置
２４…時刻表データ記憶装置
３１…表示装置
３２…入力装置
４２、５４、６３…結果表示部
４３…通過駅表示設定部
４４…表示方法設定部
５２、５５…時間条件入力部
５３、５６…改札条件入力部
５７…経由駅条件入力部
【図１】
2004262446.tif 000003
【図２】
2004262446.tif 000004
【図３】
2004262446.tif 000005
【図４】
2004262446.tif 000006
【図５】
2004262446.tif 000007
【図６】
2004262446.tif 000008
【図７】
2004262446.tif 000009
【図８】
2004262446.tif 000010
【図９】
2004262446.tif 000011
【図１０】
2004262446.tif 000012
【図１１】
2004262446.tif 000013
【図１２】
2004262446.tif 000014
【図１３】
2004262446.tif 000015
【図１４】
2004262446.tif 000016
【図１５】
2004262446.tif 000017
【図１６】
2004262446.tif 000018